(57)【特許請求の範囲】
【請求項１】
空隙を介して互いに対向する給電点をそれぞれ具備する２つの導体からなる広帯域アンテナであって、
前記２つの導体のうち少なくとも一方は、前記給電点から離れる方向に放射状に広がって前記給電点とは反対側に２つの頂点を有するボウタイアンテナ部が、前記給電点から離れる方向に複数連接してなる広帯域アンテナ。
【発明の詳細な説明】
【技術分野】
【０００１】
本発明は、広帯域な特性を有する広帯域アンテナに関し、特に、広帯域を実現しながらも小型化する技術に関する。
【背景技術】
【０００２】
昨今、情報化社会の進展に伴って、情報をカードに記録し、該カードを用いた情報管理や決済等が行われている。また、商品等に貼付されるラベルやタグに情報を記録し、このラベルやタグを用いての商品等の管理も行われている。
【０００３】
このようなカードやラベル、あるいはタグを用いた情報管理においては、カードやラベル、あるいはタグに対して非接触状態にて情報の書き込み及び読み出しを行うことが可能なＩＣが搭載された非接触型ＩＣカードや非接触型ＩＣラベル、あるいは非接触型ＩＣタグがその優れた利便性から急速な普及が進みつつある。
【０００４】
非接触状態にて情報の書き込み及び読み出しが可能な非接触型ＩＣカードや非接触型ＩＣラベル、非接触型ＩＣタグにおいては、近年、小型化及び通信可能距離を確保するために、９００ＭＨｚ〜１０００ＭＨｚの周波数帯を利用して通信を行う微細なＩＣチップが用いられ始めている。
【０００５】
このような微細なＩＣチップを用いた場合、ＩＣチップに導電性のアンテナを接続することにより、ＩＣチップの通信可能距離を延ばすことができる。
【０００６】
図８は、９００ＭＨｚ〜１０００ＭＨｚの周波数帯を利用して通信を行うＩＣチップが搭載された非接触型ＩＣタグの一例を示す図であり、（ａ）は上面図、（ｂ）は（ａ）に示したＡ−Ａ’断面図である。
【０００７】
本構成例は図８に示すように、樹脂や紙等からなるベース基材２０２上に、互いに直列に並ぶように所定の間隔を有して形成された２つの帯状の導体２１０ａ，２１０ｂからなるアンテナ部２１０が形成されており、この２つの導体２１０ａ，２１０ｂに接続されるように、非接触状態にて情報の書き込み及び読み出しが可能なＩＣチップ２０１が搭載されて構成されている。
【０００８】
上記のように構成された非接触型ＩＣタグ２００においては、外部に設けられた情報書込／読出装置（不図示）に近接させることにより、情報書込／読出装置からの電波によりアンテナ部２１０に電流が流れ、この電流がＩＣチップ２０１に供給され、それにより、非接触状態において、情報書込／読出装置からＩＣチップ２０１に情報が書き込まれたり、ＩＣチップ２０１に書き込まれた情報が情報書込／読出装置にて読み出されたりする。
【０００９】
このような非接触型ＩＣタグ２００においては、ＩＣチップ２０１に対しての情報の書き込み及び読み出しが可能な距離を確保するためにＩＣチップ２０１とアンテナ部２１０とのインピーダンス整合をとる必要があり、そのために、アンテナ部２１０の長さがＩＣチップ２０１に対する情報の書き込み及び読み出しの周波数に応じて設定されている。そのため、非接触型ＩＣタグ２００の小型化を図る場合、ＩＣチップ２０１に対する情報の書き込み及び読み出しの周波数によってその限界が決められてしまう。
【００１０】
ここで、帯状のアンテナをジグザグ形状とすることにより、アンテナの長さを長くしながらもアンテナ全体の小型化を図ることができるメアンダアンテナが従来より用いられている（例えば、特許文献１参照。）。このメアンダアンテナを用いれば、アンテナ部２１０の長さをＩＣチップ２０１に対する情報の書き込み及び読み出しの周波数に応じて設定しながらも非接触型ＩＣタグ２００の小型化を図ることができる。
【００１１】
ところで、上述したような非接触型ＩＣタグ２００は、金属等に取り付けられて利用される場合があるが、その場合、金属影響による通信特性の劣化等により、アンテナ部２１０における共振周波数がＩＣチップ２０１に対する情報の書き込み及び読み出しの周波数に対してずれてしまい、非接触型ＩＣタグ２００に対する情報の書き込み及び読み出しができなくなってしまったり、安定した通信距離を確保することができなくなってしまったりする虞れがある。
【００１２】
このような周波数のずれに対応する技術として、三角形からなる２つの導体が、その頂点が空隙を介して互いに対向するように配置されてなるボウタイアンテナが利用されている。
【００１３】
図９は、一般的なボウタイアンテナを有する非接触型ＩＣタグの一例を示す図であり、（ａ）は上面図、（ｂ）は（ａ）に示したＡ−Ａ’断面図である。
【００１４】
本例は図９に示すように、樹脂や紙等からなるベース基材３０２上に、二等辺三角形の形状を有する２つの導体３１０ａ，３１０ｂが、二等辺三角形の等しい辺がなす頂点どうしを結んだ直線が二等辺三角形の底辺のそれぞれに対して垂直となるように、かつ、頂点どうしが空隙を有するように配置されてなるアンテナ部３１０が形成されており、この２つの導体３１０ａ，３１０ｂに接続されるように、非接触状態にて情報の書き込み及び読み出しが可能なＩＣチップ３０１が搭載されて構成されている。
【００１５】
上記のように構成された非接触型ＩＣタグ３００においては、アンテナ部３１０について、Ｂ−Ｂ’間とＣ−Ｃ’間とで長さが互いに異なり、かつ、その長さがＢ−Ｂ’間からＣ−Ｃ’間に渡って無段階に変化しているため、アンテナ部３１０のインピーダンスが、Ｂ−Ｂ’間の長さに基づくインピーダンスからＣ−Ｃ’間の長さに基づくインピーダンスまで設定可能となる。このように、ボウタイアンテナを用いて広帯域なアンテナを実現することができる（例えば、特許文献２参照。）。
【特許文献１】特開２００３−７８３３５号公報
【特許文献２】特開２００２−１３５０３７号公報
【発明の開示】
【発明が解決しようとする課題】
【００１６】
しかしながら、上述したようなボウタイアンテナを非接触型ＩＣタグに用いた場合、広帯域なアンテナを実現することができるものの、アンテナ全体、延いては非接触型ＩＣタグの小型化を図ることができなくなってしまうという問題点がある。
【００１７】
本発明は、上述したような従来の技術が有する問題点に鑑みてなされたものであって、広帯域を実現しながらも小型化を図ることができる広帯域アンテナを提供することを目的とする。
【課題を解決するための手段】
【００１８】
上記目的を達成するために本発明は、
空隙を介して互いに対向する給電点をそれぞれ具備する２つの導体からなる広帯域アンテナであって、
前記２つの導体のうち少なくとも一方は、前記給電点から離れる方向に放射状に広がって前記給電点とは反対側に２つの頂点を有するボウタイアンテナ部が、前記給電点から離れる方向に複数連接してなる。
【００１９】
上記のように構成された本発明においては、空隙を介して互いに対向する給電点をそれぞれ具備する２つの導体のうち少なくとも一方を構成するボウタイアンテナ部によって広帯域が実現される。また、ボウタイアンテナ部が複数連接してなる導体の長さは、その最も長い部分が、複数のボウタイアンテナ部の２つの頂点のうち一方を通過する経路の長さとなり、導体のアンテナとしての見かけ上の長さが長くなる。これにより、アンテナ全体を小型化しながらも導体のアンテナとしての見かけ上の長さを長くすることができる。ここで、共振周波数は、導体のアンテナとしての長さが長くなるほど低くなるため、アンテナ全体の大きさが同じ大きさであれば、導体のアンテナとしての見かけ上の長さを長くすることにより、共振周波数を低周波数側にシフトさせることができる。
【００２０】
また、複数のボウタイアンテナ部が、給電点から離れる方向に、給電点側に連接するボウタイアンテナ部の２つの頂点のうち一方の頂点と交互に連接した構成とすることも考えられ。その場合、ボウタイアンテナ部が複数連接してなる導体の長さは、その最も短い部分が、複数のボウタイアンテナ部の２つの頂点のうち一方を交互に通過する経路の長さとなり、所望の周波数を得るためにアンテナ全体のさらなる小型化を図ることができる。また、アンテナ全体の大きさが同じ大きさであれば、共振周波数をさらに低周波数側にシフトさせることができる。
【発明の効果】
【００２１】
以上説明したように本発明においては、空隙を介して互いに対向する給電点をそれぞれ具備する２つの導体のうち少なくとも一方を、給電点から離れる方向に放射状に広がって給電点とは反対側に２つの頂点を有するボウタイアンテナ部が、給電点から離れる方向に複数連接した構成としたため、広帯域を実現しながらも小型化を図ることができる。また、アンテナ全体の大きさが同じ大きさであれば、共振周波数を低周波数側にシフトさせることができる。
【発明を実施するための最良の形態】
【００２２】
以下に、本発明の実施の形態について図面を参照して説明する。
【００２３】
（第１の実施の形態）
図１は、本発明の広帯域アンテナの第１の実施の形態を示す図である。
【００２４】
本形態は図１に示すように、２つの導体１０ａ，１０ｂが空隙を介して直列に並ぶように配置されて構成されている。２つの導体１０ａ，１０ｂのそれぞれには給電点１１ａ，１１ｂが設けられ、この給電点１１ａ，１１ｂが空隙を介して互いに対向している。そして、２つの導体１０ａ，１０ｂはそれぞれ、給電点１１ａ，１１ｂから離れる方向に放射状に広がる５つのボウタイアンテナ部１２ａ，１２ｂが給電点１１ａ，１１ｂから離れる方向に連接し、抵抗調整部１３ａ，１３ｂが接続されて構成されている。なお、５つのボウタイアンテナ部１２ａ，１２ｂのそれぞれにおける、給電点１１ａ，１１ｂとは反対側に連接するボウタイアンテナ部１２ａ，１２ｂあるいは抵抗調整部１３ａ，１３ｂとの連接位置は、ボウタイアンテナ部１２ａ，１２ｂの給電点１１ａ，１１ｂとは反対側の２つの頂点の中点の位置となっている。
【００２５】
以下に、上記のように構成された広帯域アンテナ１０における導体１０ａ，１０ｂのアンテナとしての見かけ上の長さについて説明する。なお、以下の説明においては、導体１０ａ，１０ｂをそれぞれ構成する５つずつのボウタイアンテナ部１２ａ，１２ｂを、給電点１１ａ，１１ｂ側から、それぞれ１段目、２段目、３段目、３段目、４段目及び５段目と称する。
【００２６】
導体１０ａの給電点１１ａから抵抗調整部１３ａまでの最も短い部分の長さは、図中破線で示すように、１段目のボウタイアンテナ部１２ａと２段目のボウタイアンテナ部１２ａとの連接点、２段目のボウタイアンテナ部１２ａと３段目のボウタイアンテナ部１２ａとの連接点、３段目のボウタイアンテナ部１２ａと４段目のボウタイアンテナ部１２ａとの連接点及び４段目のボウタイアンテナ部１２ａと５段目のボウタイアンテナ部１２ａとの連接点を介して、５段目のボウタイアンテナ部１２ａと抵抗調整部１３ａとの連接点と給電点１１ａとを結んだ直線の長さとなる。
【００２７】
また、導体１０ａの給電点１１ａから抵抗調整部１３ａまでの最も長い部分の長さは、図中二点鎖線で示すように、導体１０ａの給電点１１ａから、１段目のボウタイアンテナ部１２ａの１つの頂点を介して１段目のボウタイアンテナ部１２ａと２段目のボウタイアンテナ部１２ａとの連接点に到達し、この連接点から２段目のボウタイアンテナ部１２ａの１つの頂点を介して２段目のボウタイアンテナ部１２ａと３段目のボウタイアンテナ部１２ａとの連接点に到達し、この連接点から３段目のボウタイアンテナ部１２ａの１つの頂点を介して３段目のボウタイアンテナ部１２ａと４段目のボウタイアンテナ部１２ａとの連接点に到達し、この連接点から４段目のボウタイアンテナ部１２ａの１つの頂点を介して４段目のボウタイアンテナ部１２ａと５段目のボウタイアンテナ部１２ａとの連接点に到達し、この連接点から５段目のボウタイアンテナ部１２ａの１つの頂点を介して５段目のボウタイアンテナ部１２ａと抵抗調整部１３ａとの連接点に到達する経路の長さとなる。
【００２８】
また、導体１０ｂについても導体１０ａと同様である。
【００２９】
このように、５つのボウタイアンテナ部１２ａ，１２ｂが連接してなる導体１０ａ，１０ｂの長さは、その最も長い部分が、ボウタイアンテナ部１２ａ，１２ｂの２つの頂点のうち一方を通過する経路の長さとなり、導体１０ａ，１０ｂのアンテナとしての見かけ上の長さが長くなる。これにより、広帯域アンテナ１０全体を小型化しながらも導体１０ａ，１０ｂのアンテナとしての見かけ上の長さを長くすることができる。
【００３０】
（第２の実施の形態）
図２は、本発明の広帯域アンテナの第２の実施の形態を示す図である。
【００３１】
本形態は図２に示すように、２つの導体１１０ａ，１１０ｂが空隙を介して直列に並ぶように配置されて構成されている。２つの導体１１０ａ，１１０ｂのそれぞれには給電点１１１ａ，１１１ｂが設けられ、この給電点１１１ａ，１１１ｂが空隙を介して互いに対向している。そして、２つの導体１１０ａ，１１０ｂはそれぞれ、給電点１１１ａ，１１１ｂから離れる方向に放射状に広がる５つのボウタイアンテナ部１１２ａ，１１２ｂが給電点１１１ａ，１１１ｂから離れる方向に連接し、抵抗調整部１１３ａ，１１３ｂが接続されて構成されている。なお、５つのボウタイアンテナ部１１２ａ，１１２ｂのそれぞれにおける、給電点１１１ａ，１１１ｂとは反対側に連接するボウタイアンテナ部１１２ａ，１１２ｂあるいは抵抗調整部１１３ａ，１１３ｂとの連接位置は、ボウタイアンテナ部１１２ａ，１１２ｂの給電点１１１ａ，１１１ｂとは反対側の２つの頂点のうち一方の頂点となっており、２つの頂点のうち連接する頂点が、５つのボウタイアンテナ部１１２ａ，１１２ｂについて交互となっている。
【００３２】
以下に、上記のように構成された広帯域アンテナ１０における導体１１０ａ，１１０ｂのアンテナとしての見かけ上の長さについて説明する。なお、以下の説明においては、導体１１０ａ，１１０ｂをそれぞれ構成する５つずつのボウタイアンテナ部１１２ａ，１１２ｂを、給電点１１１ａ，１１１ｂ側から、それぞれ１段目、２段目、３段目、３段目、４段目及び５段目と称する。
【００３３】
導体１１０ａの給電点１１１ａから抵抗調整部１１３ａまでの最も短い部分の長さは、図中破線で示すように、１段目のボウタイアンテナ部１１２ａと２段目のボウタイアンテナ部１１２ａとの連接点、２段目のボウタイアンテナ部１１２ａと３段目のボウタイアンテナ部１１２ａとの連接点、３段目のボウタイアンテナ部１１２ａと４段目のボウタイアンテナ部１１２ａとの連接点及び４段目のボウタイアンテナ部１１２ａと５段目のボウタイアンテナ部１１２ａとの連接点のみを介した給電点１１１ａから抵抗調整部１１３ａまでの経路の長さとなる。
【００３４】
また、導体１１０ａの給電点１１１ａから抵抗調整部１１３ａまでの最も長い部分の長さは、図中二点鎖線で示すように、導体１１０ａの給電点１１１ａから、１段目のボウタイアンテナ部１１２ａの連接部分ではない頂点を介して１段目のボウタイアンテナ部１１２ａと２段目のボウタイアンテナ部１１２ａとの連接点に到達し、この連接点から２段目のボウタイアンテナ部１１２ａの連接部分ではない頂点を介して２段目のボウタイアンテナ部１１２ａと３段目のボウタイアンテナ部１１２ａとの連接点に到達し、この連接点から３段目のボウタイアンテナ部１１２ａの連接部分ではない頂点を介して３段目のボウタイアンテナ部１１２ａと４段目のボウタイアンテナ部１１２ａとの連接点に到達し、この連接点から４段目のボウタイアンテナ部１１２ａの連接部分ではない頂点を介して４段目のボウタイアンテナ部１１２ａと５段目のボウタイアンテナ部１１２ａとの連接点に到達し、この連接点から５段目のボウタイアンテナ部１１２ａの連接部分ではない頂点を介して５段目のボウタイアンテナ部１１２ａと抵抗調整部１１３ａとの連接点に到達する経路の長さとなる。
【００３５】
また、導体１１０ｂについても導体１１０ａと同様である。
【００３６】
このように、第１の実施の形態にて示したものに対して、導体１１０ａ，１１０ｂの給電点１１１ａ，１１１ｂから抵抗調整部１１３ａ，１１３ｂまでの最も短い部分の長さ、並びに最も長い部分の長さがともに長くなっているため、広帯域アンテナ１１０全体を小型化しながらも導体１１０ａ，１１０ｂのアンテナとしての見かけ上の長さをさらに長くすることができる。
【００３７】
なお、上述した２つの実施の形態における抵抗調整部１３ａ，１３ｂ，１１３ａ，１１３ｂは、導体１０ａ，１０ｂ，１１０ａ，１１０ｂの抵抗値を調整するものであって、必ずしも設ける必要はない。
【００３８】
また、広帯域アンテナ１０，１１０を構成する２つの導体のうち、一方のみをボウタイアンテナ部が連接した構成とし、他方を任意の形状を有するベタパターンや格子状のパターンからなる導体とすることも考えられる。
【００３９】
以下に、上述した２つの実施の形態を非接触型ＩＣタグに適用した場合のインピーダンス特性について実施例として説明する。
【実施例】
【００４０】
（実施例１）
図３は、図１に示した広帯域アンテナ１０を用いた非接触型ＩＣタグを示す図であり、（ａ）は積層状態を示す図、（ｂ）は（ａ）に示したインレット２０の構成を示す図である。
【００４１】
本実施例は図３に示すように、図１に示した広帯域アンテナ１０を有するインレット２０に粘着剤４０によって発泡基板３０が貼着され、この発泡基板３０に粘着剤４０によって金属層５０が貼着されて構成されている。インレット２０は、ＰＥＴ等の樹脂シート２１上に図１に示した広帯域アンテナ１０が形成され、広帯域アンテナ１０を構成する２つの導体１０ａ，１０ｂにそれぞれ設けられた給電点１１ａ，１１ｂに、広帯域アンテナ１０を介して非接触状態にて情報の書き込み及び読み出しが可能なＩＣチップ２２が接続されて構成されている。発泡基板３０は厚さ５ｍｍの発泡樹脂からなり、金属層５０は銅からなる３５μｍ厚の金属箔によって構成されている。
【００４２】
以下に、上記のように構成された非接触型ＩＣタグのインピーダンス特性について説明する。なお、本実施例においては、図３に示した非接触型ＩＣタグのインピーダンス特性と、図９に示した非接触型ＩＣタグのインピーダンス特性とを比較する。その際、図９に示した非接触型ＩＣタグは、これをインレットとし、図３に示した非接触型ＩＣタグと同様に、粘着剤４０を用いて発泡基板３０及び金属層４０を貼着する。また、広帯域アンテナ１０及びアンテナ部３１０の形状はそれぞれ１４ｍｍ×１７２．８ｍｍの同一とし、また、タグサイズは、それぞれ２０ｍｍ×１７８．８ｍｍの同一とした。
【００４３】
図４は、図３に示した非接触型ＩＣタグのインピーダンス特性を説明するための図である。
【００４４】
上述した条件下においては、図９に示した非接触型ＩＣタグは図４中Ｂに示すように、１．１５ＧＨｚ近傍でインピーダンスカーブのピークが存在しているのに対して、図３に示した非接触型ＩＣタグは図４中Ａに示すように、１．０ＧＨｚ近傍でインピーダンスカーブのピークが存在する。
【００４５】
このように、図３に示した非接触型ＩＣタグは図９に示した非接触型ＩＣタグに対して、インピーダンスカーブのピークが低周波数側にシフトしている。これは、共振周波数が、導体のアンテナとしての長さが長くなるほど低くなることによるものであって、図３に示した非接触型ＩＣタグの広帯域アンテナ１０のアンテナとしての見かけ上の長さが図９に示したアンテナ部３１０の長さよりも長いため、共振周波数が低周波数側にシフトすることになる。
【００４６】
（実施例２）
図５は、図２に示した広帯域アンテナ１１０を用いた非接触型ＩＣタグを示す図であり、（ａ）は積層状態を示す図、（ｂ）は（ａ）に示したインレット１２０の構成を示す図である。
【００４７】
本実施例は図５に示すように、図２に示した広帯域アンテナ１１０を有するインレット１２０に粘着剤４０によって発泡基板３０が貼着され、この発泡基板３０に粘着剤４０によって金属層５０が貼着されて構成されている。インレット１２０は、ＰＥＴ等の樹脂シート２１上に図２に示した広帯域アンテナ１１０が形成され、広帯域アンテナ１１０を構成する２つの導体１１０ａ，１１０ｂにそれぞれ設けられた給電点１１１ａ，１１１ｂに、広帯域アンテナ１１０を介して非接触状態にて情報の書き込み及び読み出しが可能なＩＣチップ２２が接続されて構成されている。発泡基板３０は厚さ５ｍｍの発泡樹脂からなり、金属層５０は銅からなる３５μｍ厚の金属箔によって構成されている。
【００４８】
以下に、上記のように構成された非接触型ＩＣタグのインピーダンス特性について説明する。なお、本実施例においては、図５に示した非接触型ＩＣタグと、図９に示した非接触型ＩＣタグとを比較する。その際、図９に示した非接触型ＩＣタグは、これをインレットとし、図３に示した非接触型ＩＣタグと同様に、粘着剤４０を用いて発泡基板３０及び金属層４０を貼着する。
【００４９】
図６は、図５及び図９に示した非接触型ＩＣタグのインピーダンス特性を測定した際のサイズを示す図である。
【００５０】
図５に示した非接触型ＩＣタグについて、広帯域アンテナ１１０の形状を１４ｍｍ×１７２．８ｍｍとし、タグサイズを２０ｍｍ×１７８．８ｍｍとしたものをＡとした。また、図９に示した非接触型ＩＣタグについては、アンテナ部３１０の形状を１４ｍｍ×２３２．８ｍｍとし、タグサイズを２０ｍｍ×２３８．８ｍｍとしたものをＢとし、また、アンテナ部３１０の形状を１４ｍｍ×１７２．８ｍｍとし、タグサイズを２０ｍｍ×１７８．８ｍｍとしたものをＣとした。
【００５１】
図７は、図６に示した条件下での非接触型ＩＣタグのインピーダンス特性を説明するための図であり、（ａ）は実部のインピーダンス特性を示す図、（ｂ）は虚部のインピーダンス特性を示す図、（ｃ）は（ａ）に示したインピーダンス特性の０．９ＧＨｚ近傍の拡大図である。
【００５２】
図７に示すように、図５に示した非接触型ＩＣタグと図９に示した非接触型ＩＣタグとを同一の大きさとした場合は、図９に示した非接触型ＩＣタグは図７中Ｃに示すように、１．１５ＧＨｚ近傍でインピーダンスカーブの１つのピークが存在しているのに対して、図５に示した非接触型ＩＣタグは図７中Ａに示すように、０．８５ＧＨｚ近傍でインピーダンスカーブの１つのピークが存在する。
【００５３】
このように、図５に示した非接触型ＩＣタグは図９に示した非接触型ＩＣタグに対して、インピーダンスカーブのピークが低周波数側にシフトしている。これは、共振周波数が、導体のアンテナとしての長さが長くなるほど低くなることによるものであって、図５に示した非接触型ＩＣタグの広帯域アンテナ１１０のアンテナとしての長さが図９に示したアンテナ部３１０の長さよりも長いため、共振周波数が低周波数側にシフトすることになる。また、これにより、図５に示した非接触型ＩＣタグは図３に示した非接触型ＩＣタグよりも共振周波数が低周波数側にシフトすることになる。上述したように、近年においては、９００ＭＨｚ〜１０００ＭＨｚの周波数帯を利用して通信を行うＩＣチップが用いられているため、図５に示した非接触型ＩＣタグにおいては、この周波数帯にて安定した通信距離を確保することが可能となる。
【００５４】
また、図９に示した非接触型ＩＣタグを図５に示した非接触型ＩＣタグよりも大きくすると、図７中Ｂに示すように、インピーダンスカーブのピークが存在する周波数が、図５に示した非接触型ＩＣタグのものとほぼ同一となる。すなわち、図９に示した非接触型ＩＣタグにおいては、９００ＭＨｚ〜１０００ＭＨｚの周波数帯を利用して通信を行うためには、図５に示した非接触型ＩＣタグよりも大きな形状のものとする必要があることとなり、図５に示した非接触型ＩＣタグの方が小型化することができるということになる。
【００５５】
また、図７（ｃ）に示すように、９００ＭＨｚ〜１０００ＭＨｚの周波数帯においては、図５に示した非接触型ＩＣタグと図９に示した非接触型ＩＣタグとでインピーダンスカーブの傾きがほぼ等しくなっている。これは、図５に示した非接触型ＩＣタグが図９に示した非接触型ＩＣタグに対して小型化したにも関わらず、帯域を確保することができていることを示している。
【００５６】
このようにして、図５に示した非接触型ＩＣタグは、広帯域を実現しながらも小型化を図ることができるようになる。
【００５７】
また、指向性については、金属層５０が反射板として機能し、インレット１２０側に指向性を大きく持つことになる。
【図面の簡単な説明】
【００５８】
【図１】本発明の広帯域アンテナの第１の実施の形態を示す図である。
【図２】本発明の広帯域アンテナの第２の実施の形態を示す図である。
【図３】図１に示した広帯域アンテナを用いた非接触型ＩＣタグを示す図であり、（ａ）は積層状態を示す図、（ｂ）は（ａ）に示したインレット２０の構成を示す図である。
【図４】図３に示した非接触型ＩＣタグのインピーダンス特性を説明するための図である。
【図５】図２に示した広帯域アンテナを用いた非接触型ＩＣタグを示す図であり、（ａ）は積層状態を示す図、（ｂ）は（ａ）に示したインレットの構成を示す図である。
【図６】図５及び図９に示した非接触型ＩＣタグのインピーダンス特性を測定した際のサイズを示す図である。
【図７】図６に示した条件下での非接触型ＩＣタグのインピーダンス特性を説明するための図であり、（ａ）は実部のインピーダンス特性を示す図、（ｂ）は虚部のインピーダンス特性を示す図、（ｃ）は（ａ）に示したインピーダンス特性の０．９ＧＨｚ近傍の拡大図である。
【図８】９００ＭＨｚ〜１０００ＭＨｚの周波数帯を利用して通信を行うＩＣチップが搭載された非接触型ＩＣタグの一例を示す図であり、（ａ）は上面図、（ｂ）は（ａ）に示したＡ−Ａ’断面図である。
【図９】一般的なボウタイアンテナを有する非接触型ＩＣタグの一例を示す図であり、（ａ）は上面図、（ｂ）は（ａ）に示したＡ−Ａ’断面図である。
【符号の説明】
【００５９】
１０，１１０    広帯域アンテナ
１０ａ，１０ｂ，１１０ａ，１１０ｂ    導体
１１ａ，１１ｂ，１１１ａ，１１１ｂ    給電点
１２ａ，１２ｂ，１１２ａ，１１２ｂ    ボウタイアンテナ部
１３ａ，１３ｂ，１１３ａ，１１３ｂ    抵抗調整部
２０，１２０    インレット
２１    樹脂シート
２２    ＩＣチップ
３０    発泡基板
４０    粘着剤
５０    金属層
【図１】
0004708155.tif 000002
【図２】
0004708155.tif 000003
【図３】
0004708155.tif 000004
【図４】
0004708155.tif 000005
【図５】
0004708155.tif 000006
【図６】
0004708155.tif 000007
【図７】
0004708155.tif 000008
【図８】
0004708155.tif 000009
【図９】
0004708155.tif 000010